(57)【要約】【課題】  オペレータが所定の処理を実行する機器を容易に判断することができること。【解決手段】  ネットワーク機器に対する設定処理状況を表す処理状況データを記憶するネットワーク機器設定手段を備えたネットワーク機器管理システムであって、  ネットワーク機器設定手段にて記憶された処理状況データから予め定められた判別基準に基づいてネットワーク機器に設定された設定情報を所定の記憶媒体に記憶するか否かを判別する設定情報記憶処理判別手段と、この判別結果に基づいて設定情報を記憶する対象として判別されたネットワーク機器を外部に対して表示するネットワーク機器表示手段と、を備え、このネットワーク機器表示手段にて表示されたネットワーク機器が外部入力により選択されたときに当該選択されたネットワーク機器の設定情報を所定の記憶媒体に記憶保持する処理を行う設定情報記憶手段を備えた。【選択図】図１
2005301521.tif 000002
【特許請求の範囲】
【請求項１】
ネットワークに接続されたネットワーク機器の設定を行うと共に当該ネットワーク機器に対する設定処理状況を表す処理状況データを記憶するネットワーク機器設定手段を備えたネットワーク機器管理システムであって、
前記ネットワーク機器設定手段にて記憶された前記処理状況データから予め定められた判別基準に基づいて前記ネットワーク機器に設定された設定情報を所定の記憶媒体に記憶するか否かを判別する設定情報記憶処理判別手段と、
この判別結果に基づいて前記設定情報を記憶する対象として判別された前記ネットワーク機器を外部に対して表示するネットワーク機器表示手段と、を備え、
このネットワーク機器表示手段にて表示されたネットワーク機器が外部入力により選択されたときに当該選択されたネットワーク機器の設定情報を所定の記憶媒体に記憶保持する処理を行う設定情報記憶手段を備えた、
ことを特徴とするネットワーク機器管理システム。
【請求項２】
前記ネットワーク機器設定手段は、前記ネットワーク機器の設定情報を変更したことを示す設定変更情報を前記処理状況データとして記憶する機能を有し、
前記設定情報記憶処理判別手段は、前記処理状況データとして前記設定変更情報が存在した場合に前記ネットワーク機器を前記設定情報記憶手段による設定情報記憶処理の対象となるよう判別する機能を有し、
前記設定情報記憶手段は、当該設定情報記憶手段にて設定情報の記憶処理を行ったネットワーク機器に対応する前記設定変更情報を削除する機能を有する、
ことを特徴とする請求項１記載のネットワーク機器管理システム。
【請求項３】
前記ネットワーク機器の設定情報が変更されたことを示す前記設定変更情報は、設定変更時間を表す情報である、ことを特徴とする請求項１又は２記載のネットワーク機器管理システム。
【請求項４】
前記ネットワーク機器表示手段は、前記設定情報記憶処理判別手段の判別結果に基づいて前記設定情報を記憶する対象と記憶しない対象とに区別して前記ネットワーク機器を外部に対して表示する機能を有し、
前記設定情報記憶手段は、前記設定情報を記憶する対象として区別されて前記ネットワーク機器表示手段に表示されたネットワーク機器が外部入力により選択されたときに当該選択されたネットワーク機器の設定情報を所定の記憶媒体に記憶保持する処理を行う機能を有する、
ことを特徴とする請求項１，２又は３記載のネットワーク機器管理システム。
【請求項５】
前記設定情報記憶手段は、前記設定情報を記憶しない対象として区別されて前記ネットワーク機器表示手段に表示されたネットワーク機器が外部入力により選択された場合であっても当該選択されたネットワーク機器の設定情報を所定の記憶媒体に記憶保持する処理を行う機能を有する、
ことを特徴とする請求項４記載のネットワーク機器管理システム。
【請求項６】
ネットワークに接続されたネットワーク機器の設定を、一又は二以上のコンピュータにて行うネットワーク機器管理方法であって、
前記コンピュータが、ネットワーク機器の設定を行うと共に当該ネットワーク機器に対する設定処理状況を表す処理状況データを記憶するネットワーク機器設定工程と、
前記コンピュータが、ネットワーク機器設定工程にて記憶された前記処理状況データから予め定められた判別基準に基づいて前記ネットワーク機器に設定された設定情報を所定の記憶媒体に記憶するか否かを判別する設定情報記憶処理判別工程と、
前記コンピュータが、前記設定情報記憶処理判別工程による判別結果に基づいて前記設定情報を記憶する対象として判別された前記ネットワーク機器を外部に対して表示するネットワーク機器表示工程と、を有すると共に、
前記コンピュータが、前記ネットワーク機器表示工程にて表示されたネットワーク機器が外部入力により選択されたときに当該選択されたネットワーク機器の設定情報を所定の記憶媒体に記憶保持する処理を行う設定情報記憶工程を有する、
ことを特徴とするネットワーク機器管理方法。
【請求項７】
ネットワークに接続されたネットワーク機器の設定を行う一又は二以上のコンピュータに、
前記ネットワーク機器の設定を行うと共に当該ネットワーク機器に対する設定処理状況を表す処理状況データを記憶するネットワーク機器設定手段、
前記ネットワーク機器設定手段にて記憶された前記処理状況データから予め定められた判別基準に基づいて前記ネットワーク機器に設定された設定情報を所定の記憶媒体に記憶するか否かを判別する設定情報記憶処理判別手段、
この判別結果に基づいて前記設定情報を記憶する対象として判別された前記ネットワーク機器を外部に対して表示するネットワーク機器表示手段、
このネットワーク機器表示手段にて表示されたネットワーク機器が外部入力により選択されたときに当該選択されたネットワーク機器の設定情報を所定の記憶媒体に記憶保持する処理を行う設定情報記憶手段、
とを実現するためのネットワーク機器管理用プログラム。
【発明の詳細な説明】
【技術分野】
【０００１】
本発明は、ネットワーク機器管理システムにかかり、特に、ネットワーク機器の設定を行うと共に、その設定情報を記憶して管理するネットワーク機器管理システムに関する。また、その方法及びネットワーク機器管理用プログラムに関する。
【背景技術】
【０００２】
ネットワークシステム上では、サーバコンピュータにてルータなどネットワーク機器の設定情報が管理されており、設定情報の変更や当該設定情報の記憶保持が行われる。ここで、上記設定情報をコンフィグ情報と呼び、このコンフィグ情報のディスクへの保存をライトメモリ処理と呼ぶ。
【０００３】
そして、従来では、ライトメモリ処理を実施する際に、オペレータが１つ１つルータにアクセスし、ライトメモリを実施していた。さらには、どのルータがライトメモリ対象であるか判断するには、コンフィグを変更したルータを１つ１つ自分で記録する必要があり、かかる作業の手間が生じていた。
【０００４】
また、予め各ネットワーク機器に対する処理を設定した情報をサーバに入力しておき、これにより上記処理をサーバにて自動的に行う、という技術が特許文献１に開示されている。
【０００５】
【特許文献１】特開平８−３０５３１号公報
【発明の開示】
【発明が解決しようとする課題】
【０００６】
しかしながら、上記従来例では、ネットワーク機器を設定する知識を有する者がライトメモリを実行する機器を選択して当該処理の実行指令情報を入力しなければならず、いぜんとしてその手間を除くことは困難であり、また、ネットワーク機器を選択する専門的知識が要求され、オペレータにかかる負担が大きいという問題が生じていた。
【０００７】
また、仮に機器の選択に専門的な知識を必要としなくても、実行指令情報を入力する際にライトメモリを実行する機器を個々に指定するなどの上記同様の手間が生じる。
【０００８】
このため、本発明では、オペレータが所定の処理を行うネットワーク機器を容易に判断することができると共に、当該処理指令を容易に出すことができ、オペレータの負担の軽減を図るネットワーク機器設定システムを提供することをその目的とする。
【課題を解決するための手段】
【０００９】
そこで、本発明では、ネットワークに接続されたネットワーク機器の設定を行うと共に当該ネットワーク機器に対する設定処理状況を表す処理状況データを記憶するネットワーク機器設定手段を備えたネットワーク機器管理システムであって、
ネットワーク機器設定手段にて記憶された処理状況データから予め定められた判別基準に基づいてネットワーク機器に設定された設定情報を所定の記憶媒体に記憶するか否かを判別する設定情報記憶処理判別手段と、
この判別結果に基づいて設定情報を記憶する対象として判別されたネットワーク機器を外部に対して表示するネットワーク機器表示手段と、を備え、
このネットワーク機器表示手段にて表示されたネットワーク機器が外部入力により選択されたときに当該選択されたネットワーク機器の設定情報を所定の記憶媒体に記憶保持する処理を行う設定情報記憶手段を備えた、という構成を採っている。
【００１０】
このような構成にすることにより、本発明は以下のように作用する。まず、ネットワーク機器設定手段にてネットワーク機器の設定処理が行われると共に、そのときの処理状況データが記憶される。続いて、この処理状況データに基づいて、その処理対象となったネットワーク機器の設定情報を記憶するか否かが設定情報記憶処理判別手段にて判別され、判別結果に応じて設定処理を記憶する対象として判別されたネットワーク機器がネットワーク機器表示手段にて表示される。そして、表示されたネットワーク機器がオペレータにて選択されると、当該選択されたネットワーク機器の設定情報の記憶処理が設定情報記憶手段にて実行される。
【００１１】
従って、オペレータは表示画面を参照することで容易に設定情報を記憶処理するネットワーク機器を認識することができ、かつ、これを選択することで当該処理がシステムにて自動的に実行される。その結果、処理対象となるネットワーク機器を選定するオペレータに専門的な知識が必要とされず、また、その操作が容易となり、オペレータの負担の軽減を図ることができる。さらには、より的確にネットワーク機器の管理を実行することができる。
【００１２】
また、本発明では、上記構成に加えて、ネットワーク機器設定手段は、ネットワーク機器の設定情報を変更したことを示す設定変更情報を処理状況データとして記憶する機能を有し、
設定情報記憶処理判別手段は、処理状況データとして設定変更情報が存在した場合にネットワーク機器を設定情報記憶手段による設定情報記憶処理の対象となるよう判別する機能を有し、
設定情報記憶手段は、当該設定情報記憶手段にて設定情報の記憶処理を行ったネットワーク機器に対応する設定変更情報を削除する機能を有する、という構成を採っている。
【００１３】
さらに、ネットワーク機器の設定情報が変更されたことを示す設定変更情報は、設定変更時間を表す情報である、という構成にするとよい。
【００１４】
このような構成にすることで、本発明は以下のように作用する。まず、ネットワーク機器に対して設定情報の変更が行われると、ネットワーク機器設定手段にて設定変更されたことを表す設定変更情報（例えば、そのときの時間情報）が記憶される。そして、この設定変更情報の有無で設定情報記憶処理を行うネットワーク機器の判断が行われる。また、設定情報の記憶処理が行われた際には、上記設定変更情報が削除される。従って、設定情報が変更され、当該設定情報の記憶処理が実行されていないネットワーク機器が処理対象としてオペレータに表示されるため、的確に記憶処理が必要な機器が選択可能なよう表示させることができ、オペレータにて選択されずに記憶処理の実行の漏れが生じることを有効に抑制することができる。
【００１５】
また、本発明は、上記構成に加えて、ネットワーク機器表示手段は、設定情報記憶処理判別手段の判別結果に基づいて設定情報を記憶する対象と記憶しない対象とに区別してネットワーク機器を外部に対して表示する機能を有し、
設定情報記憶手段は、設定情報を記憶する対象として区別されて前記ネットワーク機器表示手段に表示されたネットワーク機器が外部入力により選択されたときに当該選択されたネットワーク機器の設定情報を所定の記憶媒体に記憶保持する処理を行う機能を有する、という構成を採っている。
【００１６】
さらに、上記構成に加えて、設定情報記憶手段は、設定情報を記憶しない対象として区別されてネットワーク機器表示手段に表示されたネットワーク機器が外部入力により選択された場合であっても当該選択されたネットワーク機器の設定情報を所定の記憶媒体に記憶保持する処理を行う機能を有する、という構成を採っている。
【００１７】
このような構成にすることにより、本発明では、全てのネットワーク機器を表示部に表示すると共に、その際に設定情報記憶処理の対象となる機器と、対象とならない機器とを区別して表示するため、オペレータが全てのネットワーク機器の状況を認識することが可能となる。その上で、記憶処理が必要なネットワーク機器を選択する可能である。また、必要と判別されていない機器をも記憶処理を実行するよう選択することが可能であり、その際に、当該選択された機器に対して記憶処理が実行されるため、誤って記憶処理が必要でないと判別されたネットワーク機器に対してもオペレータが判断により記憶処理を実行することができる。
【００１８】
また、本発明は、ネットワークに接続されたネットワーク機器の設定を、一又は二以上のコンピュータにて行うネットワーク機器管理方法であって、
コンピュータが、ネットワーク機器の設定を行うと共に当該ネットワーク機器に対する設定処理状況を表す処理状況データを記憶するネットワーク機器設定工程と、
コンピュータが、ネットワーク機器設定工程にて記憶された処理状況データから予め定められた判別基準に基づいてネットワーク機器に設定された設定情報を所定の記憶媒体に記憶するか否かを判別する設定情報記憶処理判別工程と、
コンピュータが、設定情報記憶処理判別工程による判別結果に基づいて設定情報を記憶する対象として判別されたネットワーク機器を外部に対して表示するネットワーク機器表示工程と、を有し、
コンピュータが、ネットワーク機器表示工程にて表示されたネットワーク機器が外部入力により選択されたときに当該選択されたネットワーク機器の設定情報を所定の記憶媒体に記憶保持する処理を行う設定情報記憶工程を有する、という構成のネットワーク機器管理方法の発明でもある。
【００１９】
さらに、本発明は、ネットワークに接続されたネットワーク機器の設定を行う一又は二以上のコンピュータに、
ネットワーク機器の設定を行うと共に当該ネットワーク機器に対する設定処理状況を表す処理状況データを記憶するネットワーク機器設定手段、
ネットワーク機器設定手段にて記憶された処理状況データから予め定められた判別基準に基づいてネットワーク機器に設定された設定情報を所定の記憶媒体に記憶するか否かを判別する設定情報記憶処理判別手段、
この判別結果に基づいて設定情報を記憶する対象として判別されたネットワーク機器を外部に対して表示するネットワーク機器表示手段、
このネットワーク機器表示手段にて表示されたネットワーク機器が外部入力により選択されたときに当該選択されたネットワーク機器の設定情報を所定の記憶媒体に記憶保持する処理を行う設定情報記憶手段、
とを実現するためのネットワーク機器管理用プログラムの発明でもある。
【００２０】
上記構成の方法、プログラムの発明であっても、上述したシステムの発明と同様に作用するため、上記目的を達成することができる。
【発明の効果】
【００２１】
本発明は、以上のように構成され機能するので、これによると、オペレータは表示画面を参照することで容易に設定情報を記憶処理するネットワーク機器を認識することができ、かつ、これを選択することで当該処理がシステムにて自動的に実行されるため、処理対象となるネットワーク機器を選定するオペレータに専門的な知識が必要とされず、また、その操作が容易となり、オペレータの負担の軽減を図ることができる。
【発明を実施するための最良の形態】
【００２２】
以下、主に本発明であるネットワーク機器管理システムについて、各実施例にて説明すると同時に、ネットワーク機器管理方法、及び、ネットワーク機器管理用プログラムについても説明する。
【００２３】
本発明であるネットワーク機器管理システムは、主にネットワークに接続されたルータの設定を管理するコンピュータにて構成される。そして、このコンピュータは、ルータに設定した設定情報（以下、コンフィグ情報と呼ぶ）をコンピュータのディスクに記憶する処理（以下、ライトメモリ処理と呼ぶ）を、オペレータからの指示により実行する。このとき、オペレータの負担を軽減するための構成を備えた発明である。
【００２４】
以下、本発明の具体的な構成を各実施例にて説明する。なお、以下では、ネットワーク機器としてルータを例に挙げて説明するが、当該ネットワーク機器はルータに限定されるものではない。
【実施例１】
【００２５】
本発明の第１の実施例を、図１乃至図７を参照して説明する。図１乃至図２は、本発明の構成を示す概略図である。図３は、オペレータに対して表示される画面の一例を示す説明図である。図４乃至図７は、システムの動作を示す説明図である。
【００２６】
〈構成〉
本発明であるネットワーク機器管理システム１は、図１に示すように、コンピュータであるＱｏＳサーバ１０とＱｏＳＧＵＩ端末２０とにより構成されている。そして、ＱｏＳサーバ１０とＱｏＳＧＵＩ端末２０とはＬＡＮケーブルや他のネットワーク回線にて接続され、また、ＱｏＳサーバ１０は、公衆ネットワークあるいは所定の施設内のＬＡＮなどネットワークＮに接続されている。そして、ネットワークＮ上には、複数のルータＡ（Ｒａ）〜ルータＦ（Ｒｆ）が存在し、ＱｏＳサーバ１０にて機器状態の設定及び設定変更がなされる。以下、ＱｏＳサーバ１０とＱｏＳＧＵＩ端末２０について詳述する。
【００２７】
〈ＱｏＳサーバ〉
ＱｏＳサーバ１０は、一般的なサーバコンピュータにて構成されており、その構成を図２の機能ブロック図にて示す。この図に示すように、ＱｏＳサーバ１０は、演算装置であるＣＰＵ（１０Ａ）と、記憶装置であるハードディスク１０Ｂと、通信装置である通信部１０Ｃとを備えている。また、図示していないが、記憶装置としてＲＡＭ，ＲＯＭなどを備えていることはもちろんのこと、入力装置や出力装置など、一般的なサーバコンピュータが備える機能を備えている。
【００２８】
そして、ＱｏＳサーバ１０のＣＰＵ（１０Ａ）には、ネットワーク機器管理用プログラムが組み込まれることで、ネットワークＮに接続されたルータ（Ｒａ等）の設定を行うと共に当該ルータに対する設定処理状況を表す処理状況データを記憶するネットワーク機器設定部１１（ネットワーク機器設定手段）と、後述するＱｏＳＧＵＩ端末２０からの要求に応じて上記処理状況データを当該ＱｏＳＧＵＩ端末２０に送信する処理状況データ送信部１２と、後述するようにＱｏＳＧＵＩ端末２０にて表示されたルータのうちオペレータにて選択されたルータのコンフィグ情報をハードディスク１０Ｂに記憶保持する処理を行う設定情報記憶処理部１３（設定情報記憶手段）と、が構築される。なお、上記処理部を実現するためのプログラムは、予めＱｏＳサーバ１０に記憶されていてもよく、可搬媒体を介して提供されたり、ネットワーク上の他のコンピュータから提供されてもよい。また、これに伴い、ハードディスク１０Ａには、ネットワーク機器情報記憶部１４、処理状況データ記憶部１５、設定情報記憶部１６が形成されている。以下、上記各処理部１１〜１３及び各記憶部１４〜１６について詳述する。
【００２９】
まず、ネットワーク機器設定部１１は、予めオペレータなどにより入力されたルータ（Ｒａ等）にアクセスするためのＩＰアドレスを記憶したネットワーク機器情報記憶部１４から読み出し、かつ、同様にネットワーク機器情報記憶部１４に格納されているルータ設定情報に基づいて、各ルータにアクセスしてルータの動作設定すなわちコンフィグ情報の設定・変更処理を行う。このとき、ネットワーク機器設定部１１は、さらに、ルータに対して設定処理を行ったことを表す処理状況データを、ルータ毎に対応させて処理状況データ記憶部１５に記憶する。なお、このとき、処理状況データは、ルータのコンフィグ情報を変更したことを示す設定変更情報、さらに具体的には、設定変更処理を行った時間を表す設定変更時間情報（アクセス時間情報）である。従って、例えば、ルータＡ（Ｒａ）に対してＱｏＳサーバ１にてコンフィグ情報の変更処理が行われた場合には、そのときのルータへのアクセス時間がルータＡの設定変更情報として処理状況データ記憶部１５に記憶される。
【００３０】
また、処理状況データ送信部１２は、後述するＱｏＳＧＵＩ端末２０の設定情報記憶処理判別部２１からの要求に応じて、各ルータ毎の設定変更時間情報であるアクセス時間情報を処理状況データ記憶部１５から読み出して、当該ルータを識別する情報と共にＱｏＳＧＵＩ端末２０に送信する。このとき、ルータによってはアクセス時間情報が存在しない場合もあるが、その場合には、ルータを識別する情報と共に、アクセス時間情報が存在しない旨の情報を送信する。
【００３１】
また、設定情報記憶処理部１３は、後述するＱｏＳＧＵＩ端末２０のネットワーク機器表示処理部２２にて表示されたルータがオペレータにて選択されたときに、当該選択されたルータを特定する情報をＱｏＳＧＵＩ端末２０から受信し、そのルータから当該ルータに設定されているコンフィグ情報を取得する。そして、取得したコンフィグ情報を設定情報記憶部１６に記憶する処理であるライトメモリ処理を行う。このとき、設定情報記憶処理部１３は、ＱｏＳＧＵＩ端末２０にネットワーク機器表示処理部２２にて表示されたルータのうち、ライトメモリ処理の対象であるとして表示されたルータがオペレータにて選択されたときに、当該ルータに対してライトメモリ処理を行う。さらに、この設定情報記憶処理部１３は、ライトメモリ処理を行ったルータに対応する上記設定変更情報、すなわち、処理状況データ記憶部１５に記憶されている当該ルータに関するアクセス時間情報を削除するよう作動する。
【００３２】
〈ＱｏＳＧＵＩ端末〉
続いて、ＱｏＳＧＵＩ端末２０について説明する。ＱｏＳＧＵＩ端末２０は、上記ＱｏＳサーバ１０に接続されたＣＰＵ（２０Ａ）、記憶部（図示せず）、表示部２３、入力部２４、通信部２０Ｃなどを設けたコンピュータであって、一般的なパーソナルコンピュータ、サーバコンピュータであり、ネットワークシステムを監視するオペレータによって操作されるものである。このＱｏＳＧＵＩ端末２０は、ＱｏＳサーバ１０に直接ＬＡＮケーブルにて接続されていてもよく、あるいは、公衆ネットワークを介して接続され遠隔地に設置されていてもよい。
【００３３】
そして、ＱｏＳＧＵＩ端末２０のＣＰＵ（２０Ａ）には、上記ＱｏＳサーバ１０同様にネットワーク機器管理用プログラムが組み込まれることで、ＱｏＳサーバ１０から処理状況データ記憶部１５に記憶された各ルータ毎の処理状況データに基づいて当該ルータに対してライトメモリ処理を行うか否かを判別する設定情報記憶処理判別部２１（設定情報記憶処理判別手段）と、判別結果に基づいてライトメモリ処理を実行する対象として判別されたルータを表示部２３を介して外部に出力表示するネットワーク機器表示処理部２２（ネットワーク機器表示手段）と、が構築される。これらの処理について詳述する。
【００３４】
まず、設定情報記憶処理判別部２１は、ＱｏＳサーバ１０に対して当該ＱｏＳサーバ１０のネットワーク機器設定部１１が取得した各ルータ毎の処理状況データを要求し、これに応じて上述したようにＱｏＳサーバ１０の処理状況データ送信部１２から送信された各ルータ毎の処理状況データである設定変更時間情報を取得する（図２の点線矢印Ｙ１参照）。そして、この取得した各ルータ毎の設定変更時間情報と、設定情報記憶処理判別部２１に予め組み込まれている判別基準に基づいてルータに設定されたコンフィグ情報のライトメモリ処理を実行するか否かを判別する。具体的には、各ルータのアクセス時間情報が存在するか否かによって判別する。アクセス時間が存在していたらそのルータはライトメモリ処理の対象であると判別し、存在していなかったらそのルータはライトメモリ処理の非対象であると判別する。そして、その結果をネットワーク機器表示処理部２２に通知する。
【００３５】
このネットワーク機器表示処理部２２は、上記判断結果に基づいて、ライトメモリ処理の対象であるルータと、非対象であるルータとを区別して表示部２３に表示する。その一例を図３に示す。この図は、ＱｏＳＧＵＩ端末２０の表示部２３に映し出される画面の一例を示すものであり、右側にライトメモリ処理を実行する対象となるルータの一覧を表示し、左側に非対象のルータの一覧を表示している。そして、ネットワーク機器表示処理部２２は、この表示上でオペレータにて入力部２４を介してライトメモリ対象ルータが選択されるのを待つ。その後、あるルータが選択されると、その旨の情報、すなわち、当該ルータをライトメモリ処理の対象として特定する旨の情報をＱｏＳサーバ１０の設定情報記憶処理部１３に通知する（図２の点線矢印Ｙ２参照）。これにより、上述したように、ＱｏＳサーバ２０の設定処理部で、ライトメモリ処理が実行されると共に、当該ライトメモリ処理が実行されたルータのアクセス時間情報が処理状況データ記憶部１５内から消去される。
【００３６】
〈動作〉
次に、上記構成のネットワーク機器管理システムの動作について、図４乃至図７を参照して説明する。図４は、システム全体の動作を示すシーケンス図である。図５と図７は、ＱｏＳサーバ１０の動作を示すフローチャートである。図６は、ＱｏＳＧＵＩ端末２０の動作を示すフローチャートである。なお、図４では、ネットワーク機器管理システムであるＱｏＳサーバ１０とＱｏＳＧＵＩ端末２０とを操作するオペレータＰの動作も図示する。また、ライトメモリ処理の実行対象としてルータＣを図４に図示して説明する。
【００３７】
まず、事前に、オペレータＰがＱｏＳサーバ１０に対して、システムが管理するネットワーク上の全てのルータＡ〜Ｆ（Ｒａ〜Ｒｆ）にアクセスするためのアドレス、すなわち、ＩＰアドレスを入力する（ステップＳ１）。すると、ＱｏＳサーバ１０は、各ルータのアクセスアドレスとなるＩＰアドレスをネットワーク機器情報記憶部１４に記憶する（ステップＳ２）。なお、このとき、オペレータＰはＱｏＳＧＵＩ端末２０に各ルータのＩＰアドレスを入力してＱｏＳサーバ１０に登録してもよい。
【００３８】
続いて、ＱｏＳサーバ１０は、上記ＩＰアドレスに基づいて各ルータに対してコンフィグ情報の新規設定、あるいは、変更処理を行う（ステップＳ３）。これに応じて、各ルータでは、新たなコンフィグ情報が設定される（ステップＳ４）。そして、ＱｏＳサーバ１０では、所定のルータに対してコンフィグ情報の設定・変更を実行した場合であって（図５のステップＡ１にて肯定判断）、そのルータのアクセス時間情報が処理状況データ記憶部１５内に記憶されていない場合には（図５のステップＡ２にて否定判断）、当該ルータへのアクセス時間情報を処理状況データ記憶部１５に記憶する（ステップＳ５、図５のステップＡ３、ネットワーク機器設定工程）。
【００３９】
続いて、任意のタイミングにて、ＱｏＳＧＵＩ端末２０からＱｏＳサーバ１０に各ルータのアクセス時間情報の要求がなされ（ステップＳ６）、これに応じてＱｏＳサーバ１０からアクセス時間情報がＱｏＳＧＵＩ端末２０に送信され（ステップＳ７）、当該ＱｏＳＧＵＩ端末２０が取得する（図６のステップＢ１）。そして、ルータ毎にアクセス時間情報が存在しているか否かを調べ、当該ルータがライトメモリ処理対象であるか否かを判別する（設定情報記憶処理判別工程）。このとき、アクセス時間情報が存在しているルータをライトメモリ処理対象ルータとして表示部に表示し（図６のステップＢ２にて肯定判断の後、ステップＢ３）、存在しないルータをライトメモリ処理非対象ルータとして表示部に表示する（図６のステップＢ２にて否定判断の後にステップＢ４、ネットワーク機器表示工程）。このときのＱｏＳＧＵＩ端末２０の表示部２３の様子は上述した図３の通りであり、かかる画面がオペレータＰにて閲覧される（ステップＳ８）。
【００４０】
続いて、ＱｏＳＧＵＩ端末２０の表示画面上で、ライトメモリ対象ルータ一覧の中から例えばルータＣ（Ｒｃ）が選択されたとする。すなわち、オペレータＰは、図３の画面上でマウスなどの入力部２４を操作してルータＣを選択し、実行ボタンをクリックすることで、実際にライトメモリ処理を実行するルータＣを選択して当該実行指令を入力することができる（ステップＳ９）。そして、かかるルータ選択指示を受けたＱｏＳＧＵＩ端末２０は、当該ルータＣ（Ｒｃ）を特定する情報をＱｏＳサーバ１０に通知する（ステップＳ１０）。
【００４１】
続いて、ライトメモリ処理指令を受けたＱｏＳサーバ１０は（図７のステップＣ１）、選択されたルータＣ（Ｒｃ）に対してライトメモリ処理を実行する（図７のステップＣ２、設定情報記憶工程）。具体的には、ルータＣに対してコンフィグ情報を要求して（ステップＳ１１）、これに応じてルータＣから送信された当該ルータＣの現在のコンフィグ情報（ステップＳ１２）を受け取り、設定情報記憶部１６にルータＣのコンフィグ情報として記憶する（ステップＳ１３）。
【００４２】
その後、ＱｏＳサーバ１０がライトメモリ処理を正常に終了したことを確認すると（図７のステップＣ３）、当該処理を行ったルータＣのアクセス時間情報を設定情報記憶処理部１６から削除する（ステップＳ１４、図７のステップＣ４）。
【００４３】
本システムは、以上のように作動するため、コンフィグ情報の変更があったルータのアクセス時間情報は、ライトメモリ処理が行われない限り処理状況データ記憶部１５に存在することとなり、そのようなルータはＱｏＳＧＵＩ端末２０にてライトメモリ処理対象ルータとして非対象のものと区別されて表示されることとなる。従って、オペレータＰは表示画面を参照することで容易にライトメモリ処理を実行する対象となるルータを認識することができ、当該オペレータに専門的な知識が無くても処理が必要なルータを的確かつ漏れなく選択することができる。また、ライト処理の実行指示操作が容易となり、さらなるオペレータの負担の軽減を図ることができる。
【実施例２】
【００４４】
次に、本発明の第２の実施例について図３を参照して説明する。上記実施例１では、ＱｏＳＧＵＩ端末２０にライトメモリ対象ルータとして表示されたルータを選択した場合にのみライトメモリ処理を実行するよう作動することを説明したが、本実施例では、ネットワーク機器表示処理部２２にてライトメモリの非対象として区別されて表示されたルータであっても、オペレータにて選択されたルータはＱｏＳサーバ１０の設定情報記憶処理部１３によるライトメモリ処理の対象となる、という構成を採っている。
【００４５】
このことを図３を参照して説明すると、例えば、左側のライトメモリ非対象ルータとして表示されたルータＡをマウスにてクリックして選択した状態で、画面中央の右矢印（右向き三角印）をクリックすると、当該ルータＡの表示が右側のライトメモリ対象ルータの欄に移動する。そして、さらに上述したように右側に移動したルータＡの表示を選択して実行ボタンをクリックすることで、当該ルータＡを選択する情報がＱｏＳサーバ１０に通知されてライトメモリ処理が実行される。
【００４６】
これにより、ライトメモリ処理が必要と判別されていないルータをもライトメモリを実行するよう選択することが可能であるため、誤ってライトメモリ処理が必要でないと判別されたルータに対してもオペレータの判断によりその処理を実行することができる。例えば、ＱｏＳサーバ１０からではなくルータに直接アクセスして設定情報の変更を行ったような場合には、アクセス時間情報が記憶されないため、ＱｏＳＧＵＩサーバ２０がライトメモリ対象ルータであることを判別できない場合が生じる。このような場合であっても、ライトメモリ処理を実行することができ、ルータ管理を確実に行うことができる。
【実施例３】
【００４７】
次に、本発明の第３の実施例を図８を参照して説明する。本実施例では、ネットワーク機器管理システム１が一台のコンピュータにて構成されており、図８に示すように、各処理部や記憶部、機能などが一台のコンピュータ内に構築されている。例えば、ＱｏＳサーバ１０にＱｏＳＧＵＩ端末２０の機能が組み込まれて、当該ＱｏＳサーバ１０のみで構成されてもよい。なお、図８に示す各処理部等の機能は上述同様であるので、その詳細な説明は省略する。
【産業上の利用可能性】
【００４８】
本発明であるネットワーク機器管理システムは、ＬＡＮなどのネットワークシステムに組み込んで当該ネットワーク上の機器の状態を管理することに好適であるため、産業上利用可能性を有する。
【図面の簡単な説明】
【００４９】
【図１】ネットワーク機器管理システムの実施例１における全体構成を示す概略図である。
【図２】ネットワーク機器管理システムの実施例１における構成を示す機能ブロック図である。
【図３】ネットワーク機器管理システムにおいて表示される画面の一例を示す説明図である。
【図４】ネットワーク機器管理システムの実施例１における全体的な動作を示すシーケンス図である。
【図５】図１に開示したＱｏＳサーバの動作の一部を示すフローチャートである。
【図６】図１に開示したＱｏＳＧＵＩ端末の動作の一部を示すフローチャートである。
【図７】図１に開示したＱｏＳサーバの動作の一部を示すフローチャートである。
【図８】ネットワーク機器管理システムであるＱｏＳサーバの実施例３における構成を示す機能ブロック図である。
【符号の説明】
【００５０】
１  ネットワーク機器管理システム
１０  ＱｏＳサーバ
２０  ＱｏＳＧＵＩ端末
１１  ネットワーク機器設定部
１２  処理状況データ送信部
１３  設定情報記憶処理部
１４  ネットワーク機器情報記憶部
１５  処理状況データ記憶部
１６  設定情報記憶部
２１  設定情報記憶処理判別部
２２  ネットワーク機器表示処理部
【図１】
2005301521.tif 000003
【図２】
2005301521.tif 000004
【図３】
2005301521.tif 000005
【図４】
2005301521.tif 000006
【図５】
2005301521.tif 000007
【図６】
2005301521.tif 000008
【図７】
2005301521.tif 000009
【図８】
2005301521.tif 000010